(57)【要約】【課題】  防犯ブザーを鞄の内側に入れたままでもブザーを作動させることができ、痴漢や暴漢等の危険に対して素早く対処することができる防犯具内蔵鞄を提供する。【解決手段】  防犯具内蔵鞄１は、本体２の内側に防犯ブザー１２を具えており、この防犯ブザー１２は、内部にブザーと、ブザーを作動させるためのスイッチ部を具えている。そして、本体２の外側からスイッチ部を作動させることができるようになっている。これにより、防犯ブザーを本体２の内側に入れたままでも、ブザーを作動させることができ、痴漢や暴漢等に対して素早く対処することができる。また、本体２の内側に位置情報を測定することができ、その位置情報を外部の機器に送信することができる情報端末を具えている。これにより、鞄の使用者の位置を外部に知らせることができる。【選択図】図１
0003121421.tif 000002
【実用新案登録請求の範囲】
【請求項１】
内側に防犯ブザーを具えた本体と、該本体を持ち運びするために、本体に設けられた把手部とからなる防犯具内蔵鞄であって、前記防犯ブザーは、内部にブザーと、ブザーを作動させるためのスイッチ部を具えていることを特徴とする防犯具内蔵鞄。
【請求項２】
前記スイッチ部には、一端部側が前記本体の外側に出されている引き紐が接続され、該引き紐を引くことで前記スイッチ部を作動させることができる請求項１に記載の防犯具内蔵鞄。
【請求項３】
前記スイッチ部には、押しボタンが設けられ、該押しボタンを押すことで前記スイッチ部を作動させることができる請求項１に記載の防犯具内蔵鞄。
【請求項４】
前記本体の内側には、前記防犯ブザーを内側に収納可能であるブザー収納部を具えている請求項１に記載の防犯具内蔵鞄。
【請求項５】
前記本体の内側には、位置情報を測定することができる情報端末を具え、該情報端末で測定した位置情報を外部の機器に送信することができる請求項１から請求項４に記載の防犯具内蔵鞄。
【考案の詳細な説明】
【技術分野】
【０００１】
本考案は、防犯具を内蔵した鞄に関する。
【背景技術】
【０００２】
防犯具として多くのものがあるが、痴漢や暴漢等の危険から身を守る為の道具の一つに防犯ブザーがある。この防犯ブザーは、近年では女性だけではなく、小学生などの多くの子供に所持されており、様々なタイプのものがある。例えば、上部に設けられた孔に挿脱可能に設けられるとともに、端部に引き紐が繋がれたピンを具えている防犯ブザーが広く使用されている（例えば、特許文献１参照。）。
【０００３】
防犯ブザー内部には電池やブザー等が内蔵されており、通常時は、孔にピンが挿入されており、ブザーが作動しないようになっている。しかし、危険に遭遇した場合には、引き紐を引いてピンを抜くことで、ブザーを作動させることができ、ブザー音を発生させることができる。これにより痴漢や暴漢等に対して威嚇したり、周囲に危険を知らせたりすることができる。
【特許文献１】実開平７−０１４４９４号公報
【０００４】
しかしながら、上記のような従来の防犯ブザーは、例えば、女性であればハンドバッグの中に、小学生等の子供であればショルダーバッグの中に入れていることが多かった。このため、痴漢や暴漢等による危険に直面した場合には、防犯ブザーを鞄から取り出し、片手でブザー本体を持ち、もう一方の手で引き紐を引いてピンを抜くという動作を咄嗟に行なわなければならなかった。これでは、時間がかかり過ぎてしまい、危険から身を守るのは難しい。
【考案の開示】
【考案が解決しようとする課題】
【０００５】
本考案は、鞄の内側に防犯ブザーを具えている。この防犯ブザーは内部にブザーと、ブザーを作動させるスイッチ部を具えており、鞄の外側からスイッチ部を作動させることが可能になっている。これにより、防犯ブザーを鞄の内側に入れたままでもブザーを作動させることができるため、痴漢や暴漢等の危険に対して素早く対処することができる。また、鞄の内側に位置情報を測定することができ、その位置情報を外部の機器に送信することができる情報端末を具えている。これにより、情報端末によって鞄の使用者の位置を外部に知らせることができる防犯具内蔵鞄を提供することを目的としている。
【課題を解決するための手段】
【０００６】
上記のような課題を解決するために、本考案の請求項１に係る防犯具内蔵鞄は、内側に防犯ブザーを具えた本体と、該本体を持ち運びするために、本体に設けられた把手部とからなる防犯具内蔵鞄であって、前記防犯ブザーは、内部にブザーと、ブザーを作動させるためのスイッチ部を具えている手段を採用している。
【０００７】
また、本考案の請求項２に係る防犯具内蔵鞄は、請求項１に記載の防犯具内蔵鞄であって、前記スイッチ部には、一端部側が前記本体の外側に出されている引き紐が接続され、該引き紐を引くことで前記スイッチ部を作動させることができる手段を採用している。
【０００８】
さらに、本考案の請求項３に係る防犯具内蔵鞄は、請求項１に記載の防犯具内蔵鞄であって、前記スイッチ部には、押しボタンが設けられ、該押しボタンを押すことで前記スイッチ部を作動させることができる手段を採用している。
【０００９】
さらに、本考案の請求項４に係る防犯具内蔵鞄は、請求項１に記載の防犯具内蔵鞄であって、前記本体の内側には、前記防犯ブザーを内側に収納可能であるブザー収納部を具えている手段を採用している。
【００１０】
さらに、本考案の請求項５に係る防犯具内蔵鞄は、請求項１から請求項４に記載の防犯具内蔵鞄であって、前記本体の内側には、位置情報を測定することができる情報端末を具え、該情報端末で測定した位置情報を外部の機器に送信することができる手段を採用している。
【考案の効果】
【００１１】
本考案の防犯具内蔵鞄は、上記のように、本体の内側に防犯ブザーを具えている。この防犯ブザーは内部にブザーと、ブザーを作動させるスイッチ部を具えており、本体の外側からスイッチ部を作動させることが可能になっている。これにより、防犯ブザーを鞄の内側に入れたままでもブザーを作動させることができ、痴漢や暴漢等の危険に対して素早く対処することができる。また、鞄の内側に位置情報を測定することができ、その位置情報を外部の機器に送信することができる情報端末を具えている。これにより、鞄使用者の位置を外部に知らせることができる。
【考案を実施するための最良の形態】
【００１２】
以下、図面に示す本考案の実施の形態について説明する。
図１から図５には本考案である防犯具内蔵鞄の第一の実施の形態が示されており、図１および図２は鞄の構成を示した斜視図、図３は鞄の内側の一部分を示した図、図４は防犯ブザーを示した図、図５は防犯ブザーの内部を示した図である。
【００１３】
図１および図２に示すように、防犯具内蔵鞄１は肩に掛けて持つタイプの鞄であって、荷物を収納するための本体２と、その本体２の両側面を繋ぐように設けられた把持部である肩掛け３とから構成されている。本体２は表面２ａと、裏面２ｂと、側面２ｃ、２ｃと、下面２ｄと、上面２ｅとを組み合わせて形成されている。本体２の上面２ｅには、その上部が開閉自在となるようにファスナー４が設けられており、本体２の内側への荷物の出し入れが可能になっている。
【００１４】
表面２ａの中央下端部には、孔５が設けられている。本体２の内側には防犯ブザー１２が設けられ、ブザーを作動させるための引き紐１３が孔５を通り、本体２の外側に出されている。
【００１５】
裏面２ｂの端部は、上面２ｅおよび表面２ａに被さるように設けられた自由端部となっており、この裏面２ｂの自由端部および表面２ａの外側面には、ホック７ａ、７ｂがそれぞれ設けられており、裏面２ｂの自由端部および表面２ａが開閉可能になっている。
【００１６】
図３（ａ）、（ｂ）に示すように、本体２の表面２ａの内側には防犯ブザー１２を収納するためのブザー収納部８が設けられている。このブザー収納部８は、表面と、裏面と、両側面と、底面とから形成されており、上面が開放した袋状になっている。この内側に防犯ブザー１２を収納することができる。また、裏面は一方の端部が自由端部になっており、この自由端部が、開放されている上面部分および表面の外側に被さるように設けられている。そして、この裏面の自由端部および表面には、ホック１１ａ、１１ｂがそれぞれ設けられており、裏面の自由端部および表面が開閉可能となっている。これにより、内部に収納した防犯ブザー１２がブザー収納部８の外側に抜け出ないようになっている。
【００１７】
また、ブザー収納部８の上部には、孔１９が設けられており、防犯ブザー１２の引き紐１３を外側へ引き出すことができる。
【００１８】
図４および図５に示すように、防犯ブザー１２は内部に電池１７と、ブザー音を発生するブザー１８とを具え、上面中央部に孔１５を具えるとともに、ブザー１８を作動させるためのスイッチ部１４を具えている。なお、防犯ブザー１２の内部のブザー１８で発生したブザー音が、外部により大きく伝わるように、ブザー１８に対応した部分に複数の孔を設けてもよい。
【００１９】
スイッチ部１４は、孔１５に挿脱可能に設けられるピン１６と、防犯ブザー１２に設けられた接点２０とからなっている。ピン１６は、絶縁体で形成されるとともに、引き紐１３を接続することができるように、端部が輪状に形成されている。
【００２０】
また、図示しないが、防犯ブザー１２は、内部の電池１７を交換することができるようになっている。
【００２１】
図５（ａ）はピン１６が孔１５内に挿し込まれた状態を示しており、絶縁体で形成されたピン１６が接点２０を開放して防犯ブザー１２の回路を断っており、電流は流れずブザー音を発生することはない。
【００２２】
図５（ｂ）はピン１６が孔１５内から引き抜かれた状態を示しており、ピン１６によって開放されていた接点２０が閉じて電流が流れる。これにより、ブザー音が発生する。
【００２３】
防犯具内蔵鞄１は上記で示したように、本体２の表面２ａの中央下端部に孔５を具え、本体２の表面２ａの内側にブザー収納部８を具えている。そしてブザー収納部８の内側に防犯ブザー１２を具えている。この防犯ブザー１２は、内部に電池１７とブザー１８とを具え、スイッチ部１４を具えている。このスイッチ部１４は、上面中央部に設けられた孔１５に挿脱可能に設けられるピン１６と、防犯ブザー１２に設けられた接点２０とからなっている。ピン１６の端部には引き紐１３が接続されており、この引き紐１３はブザー収納部８の孔１９を通り、ブザー収納部８の外側へ出された後、本体２の表面２ａに設けられた孔５を通り本体２の外側に出されている。これにより、本体２の外側に出された引き紐１３を引くことで、スイッチ部１４を作動させ、ブザー１８を作動させることができ、痴漢や暴漢等に対して素早く対処することができる。
【００２４】
図６には本考案である防犯具内蔵鞄の第二の実施の形態が示されており、図６は斜視図である。
【００２５】
図６に示すように、防犯具内蔵鞄２１は手持ちタイプの鞄であって、荷物を収納するための本体２２と、その本体２２に設けられた把手部である持ち手２３、２３とから構成されている。本体２２は、表面２２ａと、裏面２２ｂと、側面２２ｃ、２２ｃと、下面２２ｄと、上面２２ｅとを組み合わせて形成されている。
【００２６】
側面２２ｃの上端部から上面２２ｅを通り、もう一方の側面２２ｃの上端部までファスナー２４が設けられており、本体２２の上部が開閉可能になっている。また、上面２２ｅの長手方向の端部に孔２５が設けられている。
【００２７】
持ち手２３、２３は表面２２ａおよび裏面２２ｂに逆Ｕ字状にそれぞれ設けられている。
【００２８】
本体２２の側面２２ｃの内側には、第一の実施の形態と同様にブザー収納部８を具え、その内側に防犯ブザー１２を具えている。この防犯ブザー１２は、内部に電池１７とブザー１８とを具えるとともに、ブザーを作動させるためのスイッチ部１４を具えている。スイッチ部１４は、上面中央部に設けられた孔１５に挿脱可能に設けられるピン１６と、防犯ブザー１２に設けられた接点２０とからなっている。このピン１６の端部には引き紐１３が接続されており、この引き紐１３は、ブザー収納部８の上部に設けられた孔１９を通り、ブザー収納部８の外側に出された後、本体２２の上面２２ｅに設けられた孔２５を通り、本体２２の外側に出されている。
【００２９】
防犯具内蔵鞄２１は上記で示したように、本体２２の上面２２ｅの長手方向の端部に孔２５を具え、側面２２ｃの内側にブザー収納部８を具え、その内側に防犯ブザー１２を具えている。この防犯ブザー１２は、内部に電池１７とブザー１８とを具えるとともに、ブザー１８を作動させるためのスイッチ部１４を具えている。スイッチ部１４は、上面中央部に設けられた孔１５に挿脱可能に設けられるピン１６と、防犯ブザー１２に設けられた接点２０とからなる。ピン１６の端部には引き紐１３が接続されており、この引き紐１３はブザー収納部８の孔１９を通り、ブザー収納部８の外側へ出された後、孔２５を通り本体２２の外側に出されている。これにより、本体２２の外側に出された引き紐１３を引くことで、スイッチ部を作動させ、ブザー１８を作動させることができ、痴漢や暴漢等に対して素早く対処することができる。
【００３０】
図７および図８には本考案である防犯具内蔵鞄の第三の実施の形態が示されており、図７は鞄の構成を示した斜視図、図８はブザー収納部を示した図である。
【００３１】
図７（ａ）、（ｂ）に示すように、防犯具内蔵鞄３１は肩に掛けて持つタイプの鞄であって、荷物を収納するための本体３２と、その本体３２の両側面を繋ぐように設けられた把手部である肩掛け３３とから構成されている。本体３２は表面３２ａと、裏面３２ｂと、側面３２ｃ、３２ｃと、下面３２ｄとを組み合わせて形成されている。本体３２の上部は開放されており、この開放部分から本体３２の内側へ荷物の出し入れが可能になっている。
【００３２】
裏面３２ｂの一方の端部は自由端部となっており、本体３２の上部の開放部分および表面３２ａに被さるように設けられている。裏面３２ｂの自由端部の中央下端部には孔４４が設けられている。
【００３３】
裏面３２ｂの自由端部の裏面側中央部には防犯ブザー１２を収納できるブザー収納部３８が設けられている。
【００３４】
図８に示すように、ブザー収納部３８は、表面と、裏面と、両側面と、下面とから形成されており、上面が開放した袋状になっている。この内側に防犯ブザー１２を収納することができる。また、裏面は一方の端部が自由端部になっており、この自由端部が、開放されている上面部分および表面の外側に被さるように設けられている。裏面の自由端部および表面には、ホック４１ａ、４１ｂがそれぞれ設けられており、裏面の自由端部および表面が開閉可能となっている。これにより、内部に収納した防犯ブザー１２がブザー収納部３８の外側へ容易に抜け出ないようになっている。
【００３５】
なお、防犯ブザー１２は第一および第二の実施の形態と同様に、内部に電池１７とブザー１８とを具えるとともに、ブザー１８を作動させるためのスイッチ部１４を具えている。スイッチ部１４は、上面中央部に設けられた孔１５に挿脱可能に設けられるピン１６と、防犯ブザー１２に設けられた接点２０とからなり、ピン１６の端部には引き紐１３が接続されている。この実施の形態では、防犯ブザー１２はブザー収納部３８に逆さまに収納されており、下方に向かって引き紐１３を引くことで、ピン１６を抜けるようになっている。
【００３６】
また、ブザー収納部３８の下面中央部には、孔４２が設けられている。そして、防犯ブザー１２のピン１６に接続された引き紐１３が孔４２を通り、ブザー収納部３８の外側に出された後、孔４４を通り、本体３２の外側に出されている。
【００３７】
防犯具内蔵鞄３１は上記で示したように、本体３２の裏面３２ｂの自由端部の裏面側中央部にブザー収納部３８を具え、そのブザー収納部３８の内側に防犯ブザー１２を具えている。この防犯ブザー１２は、内部に電池１７とブザー１８とを具えるとともに、ブザー１８を作動させるためのスイッチ部１４を具えている。スイッチ部１４は、上面中央部に設けられた孔１５に挿脱可能に設けられるピン１６と、防犯ブザー１２に設けられた接点２０とからなっている。ピン１６の端部には引き紐１３が接続されている。そして、この引き紐１３はブザー収納部３８の下面中央部に設けられた孔４２を通り、ブザー収納部３８の外側に出された後、孔４４を通り、本体３２の外側に出されている。本体３２の外側に出された引き紐１３を下方に向かって引くことで、スイッチ部１４を作動させ、ブザー１８を作動させることができ、痴漢や暴漢等に対して素早く対処することができる。
【００３８】
なお、前記の各実施の形態で示した防犯具内蔵鞄は、実施の形態に限定せず手持ち鞄や肩掛け鞄等の様々なタイプの鞄を用いてもよいし、鞄の大きさ等も限定はしない。また、本体に設けられる防犯ブザーの位置は鞄本体の内側の他に、被せ蓋がある鞄の場合には被せ蓋の内側に設けられてもよく、鞄の種類や大きさによって適宜変更することができる。さらに、本体に設けられる孔の位置も同じように鞄の種類によって適宜変更することができる。
【００３９】
防犯ブザーは、前記で示したように、孔からピンを抜くことでブザーを作動させることができる引き抜き式のスイッチ部の他に、押しボタンによりブザーが作動する押しボタン式のスイッチ部を具えたものでもよい。また、防犯ブザーからケーブルを引き出し、そのケーブルの先端に具えたスイッチ部によってブザーを作動させることができるようにしてもよい。
【００４０】
また、図示しないが、鞄の本体の内側に、例えばＧＰＳ（全地球測位システム）を用いた情報端末を具えることもできる。この情報端末はＧＰＳを用いることで現在の居場所の位置情報を測定することができる。そして、この情報端末は、測定した位置情報のデータを情報通信手段により、外部の機器に送信できるようになっている。なお、情報端末は鞄の本体の内側に具えられていればよく、防犯ブザーの内部に設けられてもよいし、防犯ブザーと別体であってもよい。
【００４１】
なお、情報端末は常時外部の機器へ位置情報を送信するようになっており、外部から鞄の使用者の動きを把握できるようになっている。
【００４２】
前記の各実施の形態では防犯ブザーの取り付け方法として、ブザー収納部８、３８を示したが、これに限定することなく防犯ブザー１２が本体２、２２、３２の内側に取り付けられればよい。
【図面の簡単な説明】
【００４３】
【図１】防犯具内蔵鞄を示す斜視図である。
【図２】防犯具内蔵鞄を示す斜視図である。
【図３】防犯具内蔵鞄の内側の一部分を示した図である。
【図４】防犯ブザーを示した図である。
【図５】防犯ブザーの内部を示した図である。
【図６】防犯具内蔵鞄を示す斜視図である。
【図７】防犯具内蔵鞄を示す斜視図である。
【図８】防犯ブザー収納部を示した図である。
【符号の説明】
【００４４】
１、２１、３１  防犯具内蔵鞄
２、２２、３２  本体
２ａ、２２ａ、３２ａ  表面
２ｂ、２２ｂ、３２ｂ  裏面
２ｃ、２２ｃ、３２ｃ  側面
２ｄ、２２ｄ、３２ｄ  下面
２ｅ、２２ｅ  上面
３、３３  肩掛け
４、２４  ファスナー
５、１５、１９、２５、４２、４４  孔
７ａ、７ｂ、１１ａ、１１ｂ、４１ａ、４１ｂ  ホック
８、３８  ブザー収納部
１２  防犯ブザー
１３  引き紐
１４  スイッチ部
１６  ピン
１７  電池
１８  ブザー
２０  接点
２３  持ち手
【図１】
0003121421.tif 000003
【図２】
0003121421.tif 000004
【図３】
0003121421.tif 000005
【図４】
0003121421.tif 000006
【図５】
0003121421.tif 000007
【図６】
0003121421.tif 000008
【図７】
0003121421.tif 000009
【図８】
0003121421.tif 000010